(57)【要約】      （修正有）【課題】ルームガーデンを備えた快適住居を提供する。【解決手段】天然芝、花、野菜が育成できる、ルームガーデン１７を住居内に設け、天然芝、花、野菜を育成する事により、室内にマイナスイオンを発生させ、オゾン水を天然芝、花、野菜の育成に用いる事により、自然との接触が難しくなっている現在に自然と共に過ごす快適な住居ができる様にし、光の取り込みの不足分は、ＬＥＤ照明とその照射の制御を制御盤とリモコンを用いて行える様にした。【選択図】図１
2014121309.tif 000002
【特許請求の範囲】
【請求項１】
ルームガーデンを備えた快適住居において、屋内に四角形の天然芝、花、野菜の菜園エリアを設け、防水構造の天然芝、花、野菜の育成に必要な菜園エリアの屋根から、太陽光、又は天井からのＬＥＤ照明と、日当たりの良い窓から太陽光を取り込む事により、マイナスイオンを発生させ、湿度の低下をはかる事が出来る形状の菜園エリアと、オゾン水の給水と水の残留分の排水路の設置、室温、湿度のコントロール設備を設け、ＬＥＤ照明に付いては天然芝、花、野菜の生育状態に応じて太陽光の照射が無い夜間や天気の悪い日には、ＬＥＤ照明ライトを天井から下降させ天然芝、花、野菜に近づけ、生育を促すようにした事を特徴とするルームガーデンを備えた快適住居。
【請求項２】
ＬＥＤ照明を出来るだけ省電力で必要最小限に抑える為と、室内において菜園エリアを快適に観賞出来る様にする為に、菜園エリアの天井の下に、ＬＥＤ照明用ライトをそれぞれ、自由に昇降出来る様に正転、逆転が可能な小型モーターに巻き取り機能を持たせた昇降ツールを取り付け、制御盤を介してＬＥＤ照明用ライトを自由に昇降させる事が出来る様にした事を特徴とした請求項１に記載したルームガーデンを備えた快適住居。
【請求項３】
ルームガーデンを出来るだけ、居間との共有を図る為、ルームガーデン内の自由な位置で開閉出来る、耐湿、防熱のアコーデオンパーテーションを設けて状況に応じて開閉可能とした事を特徴とする請求項１に記載したルームガーデンを備えた快適住居。
【発明の詳細な説明】
【技術分野】
【０００１】  本発明は、一個の住居で従来は屋外に設けた菜園エリアを屋内に設ける事により、介護を必要とする高齢者等が自然と親しみながら快適な生活を送る事が出来る住居、又はマンション形式の住居で菜園エリアを持つ事が難しい場合に、一定のエリアにルームガーデンを設け、快適な生活を送る事を目的とした住居に関するものである。
【背景技術】
【０００２】  従来の住居における菜園エリアは屋外に設けられるもので、屋内に菜園エリアを設ける事は殆ど見当たらない。軒先にサンルームを設け観葉植物等を配置して維持管理している事は良く見受けられるがルームガーデンを備えた快適住居までは見当たらない。又、人口栽培などではＬＥＤ照明を使用しての方法が見られるが快適な生活を送る事を目的としたものとは異なる。
【先行技術文献】
【特許文献】
【０００３】
【特許文献１】  特開２００４−０００１４６
【特許文献２】  特開２００１−０６９８５５
【発明の概要】
【発明が解決しようとする課題】
【０００４】  従来の住居では、住居内にルームガーデンを設けると言う課題が見られない。現在ますます増加し続けている高齢者の一人生活、外出しようとしてもままならない身体の老化をかかえながら、少しでも自分の住居と言う限られた空間の中に、天然芝や花、野菜を生育するルームガーデンを設けて、光合成効果やマイナスイオンのある自然を自分の住居内に取り込んだ空間を設け、都会の中に於いても快適な癒しの空間の中で生活出来る住居を求める声が多い。
【課題を解決するための手段】
【０００５】  自分の屋内に四角形のルームガーデンを設け、天然芝や花や野菜の生育に必要な菜園エリアの屋根から、太陽光又はＬＥＤ照明の光をコントロールし、防水構造の日当たりの良い部屋の大きな窓から太陽光を取り込む事が出来る形状のルームガーデンと、オゾン水の給水と水の残留分の排水路を設け、天然芝、花、野菜を室内で生育するため、人口栽培の手法を用いる為の外気を取り込み、室温、湿度のコントロール設備を設け、上記課題を解決したものである。【０００６】  ここで、四角形のルームガーデンの壁に設けた窓から、多くの太陽光を取込み、光合成効果により、ＣＯ２の吸収と、Ｏ２の供給と、大気汚染物質の除去と、マイナスイオンの生成などで室内の浄化をもくろみ、天然芝、花、野菜の生育をより効率的にする。【０００７】  また、オゾン水の給水については、天然芝、花、野菜育成ための水分供給にくわえ、雑菌の消臭、殺菌、脱色、有機物の低減を行い、天然芝、花、野菜の栽培による快適効果を増加させ、ＬＥＤ照明の昇降のコントロールにより、菜園内の植物をより効率よく生育させる事をはかる。【０００８】天然芝、花、野菜の品種の選択も、夏、冬通して育成できる、陽の当たる時間が長く必要な品種、そうでない品種があるので、該当住居の日照時間を測定、調査の上、最適な品種の天然芝、花、野菜を使用する。
【発明の効果】
【０００９】本発明のルームガーデンを備えた快適住居を要求する人が、ますます増加してくる事が予想される。高齢者社会の中で天然芝、花、野菜と生活を共にする事により、少しでも穏やかな時間と空間を一つの手段として提供する事が出来る。【００１０】具体的には、より多くの太陽光を取込み、光合成効果により、ＣＯ２の吸収と、Ｏ２の供給と、大気汚染物質の除去と、マイナスイオンの生成などの大気の浄化等を行う事により、自分の住居の屋内にいながらにして、自然の中の新鮮な空気を天然芝、花、野菜と共に吸いながら、やすらぎの時を過ごす事が出来る。ちなみに、人工芝ではこの様な効果は得られない。【００１１】個々のＬＥＤ照明用ライトの上部にモーターを取り付け、太陽光が不足をしている、光の補充が必要な部分にＬＥＤ照明で照射する為に、モーターを回転させ下降し、近距離での照射を行う。【００１２】くわえて、天然芝、花、野菜を屋外で生育する場合には、夏と冬の温度差、湿度差などの問題があり、品種の多い天然芝、花、野菜をもってしても、通年通して育成する事は、一般家庭では様々な種類の植物を夏と冬で使い分けるなど、かなり困難な作業を要求されるが、屋内に、ルームガーデンを設け、光の取り込みと温度と湿度と給水と、施肥と手入れを行えば、一定期間は枯らす事なく育てる事ができる。この事による愛着なども発生する事から、精神的にも本発明の当初の課題の解決の助けにもなる。
【図面の簡単な説明】
【００１３】
【図１】  本発明の全体の平面図である。（実施例１）
【図２】  図１のＡ−Ａ断面図である。
【図３】  本発明のルームガーデンの概要図である。
【発明を実施するための形態】
【００２０】以下、図により、本発明の、ルームガーデンを備えた快適住居について説明する。
【実施例１】
【００１４】図１は、ルームガーデンを備えた快適住居の平面図の一例を示す。【００１５】図１に示したように、１７のルームガーデンを同一住居内に設ける。【００１６】図２は図１のＡ−Ａ断面を示し、太陽光の不足が予想される場合、又はＬＥＤ照明を加える事により、成長を促す事が出来ると見込まれる場合に、必要なブロックのＬＥＤ照明用のライトを３０の吊下げコードを上部に設置している２０のモーターを１９のリモコンで、１の制御盤、７の配線コードを介して設定位置まで下降させて、夜間や日当たりの悪い時間にＬＥＤ照明で照射する事を示した。また、２８はオゾン水のシャワーが３１のオゾン水のタンクから２４の給水用配管、５の給水シャワー配管を通って散水される状態を示す。【００１７】図３は１７のルームガーデン内で、天然芝、花、野菜を生育させる為の２７の太陽光の取り込みの様子、２９のＬＥＤ照明用ライトでの照射の概要を示した。
【産業上の利用可能性】
【００１８】ますます増加傾向にある高齢者、又はマンションでの自然との接触が難しくなっている現在の生活で、自然の中での癒しの空間に近い状態を、自分の住居内に持ちたいと言うニーズにこたえる為に、この技術を提供する。
【符号の説明】
【００１９】１    制御盤
２    ルームガーデンの天窓、又はＬＥＤ照明エリア
３    ルームガーデン菜園エリアの外側枠
４    ルームガーデン菜園エリアの側溝
５    給水シャワー配管
６    ルームガーデン菜園エリアの内側枠
７    ＬＥＤ照明用ライト配線コード
８    ルームガーデン菜園エリア
９    ルームガーデンの窓
１０  ＬＥＤ照明用ライト吊下げコード巻き取りフランジ
１１  使用エリアに応じて開閉出来るアコーデオンパーテーション
１２  居間
１３  台所
１４  廊下
１５  玄関
１６  バス、トイレ
１７  ルームガーデン
１８  人
１９  リモコン
２０  ＬＥＤ照明用ライト吊下げコード巻き取りモーター
２１  ルームガーデンの屋根
２２  ルームガーデンの基礎
２３  菜園エリアの床
２４  給水用配管
２５  ＬＥＤ照明用ライト吊下げコード巻き取りモーター取付け梁
２６  培養土
２７  太陽光
２８  給水シャワー
２９  ＬＥＤ照明用ライト
３０  ＬＥＤ照明用ライト吊下げコード
３１  給水具の中のオゾン水
【図１】
2014121309.tif 000003
【図２】
2014121309.tif 000004
【図３】
2014121309.tif 000005